(57)【要約】【課題】  シートパッドの裏面に一体化する補強布において、その縫製精度を向上することにより、異音防止などの補強布の機能を十分に発揮させるようにする。【解決手段】  布主体部２０と、その両側辺から延出された布側面部２２と、布主体部２０の上辺から延出された布後面部２６とを備え、布側面部２２と布後面部２６の対向する辺同士を縫製することで袋状に形成される補強布１４の縫製に際し、布後面部２６の延出端２６ｂにおける角部２６ｃ近傍に切欠５２を設けておき、該角部２６ｃに対応する布側面部２２の角部２２ｃを切欠５２に合致させるようにして布後面部２６と布側面部２２の縫い代２２ｂと２６ａ同士を重ね合わせて縫製４０を施す。補強布１４はエンボス加工により格子点状に熱圧着凹部５０が設けられた不織布からなり、該熱圧着凹部５０の列に沿って上記縫製４０を施す。【選択図】    図４
2005245882.tif 000002
【特許請求の範囲】
【請求項１】
軟質フォームからなるパッド本体の裏面を覆うように一体化されるシートパッド用補強布の製造方法であって、
該補強布の２つの布部分を重ねて縫製するに際し、一方の布部分の縁部に切欠を設けておき、他方の布部分の角部を該切欠に合致させるようにして両布部分を重ね合わせて前記縫製を施すことを特徴とするシートパッド用補強布の製造方法。
【請求項２】
パッド主体部と、該パッド主体部の裏面側における両側辺を含む３方の辺部に一体に設けられた内向きの張り出し部とを備える軟質フォームからなるパッド本体に対し、前記パッド主体部の裏面と前記張り出し部の内側面とを覆うように一体化されるシートパッド用補強布の製造方法であって、
該補強布は、前記パッド主体部の裏面に一体化される布主体部と、その両側辺から一体に延出されて前記パッド本体の両側辺部における前記張り出し部の内側面に一体化される布側面部と、前記布主体部の他の一辺から一体に延出されて前記パッド本体の残りの前記張り出し部の内側面に一体化される布後面部とを備えてなり、前記布側面部と前記布後面部の対向する辺同士を縫製することで該補強布を袋状に形成するに際し、
前記布後面部の延出端における角部近傍に切欠を設けておき、該角部に対応する前記布側面部の角部を前記切欠に合致させるようにして前記布後面部と前記布側面部の縫い代同士を重ね合わせて前記縫製を施すことを特徴とするシートパッド用補強布の製造方法。
【請求項３】
前記補強布はエンボス加工により格子点状に熱圧着凹部が設けられた不織布からなり、該熱圧着凹部の列に沿って前記縫製を施すことを特徴とする請求項１又は２記載のシートパッド用補強布の製造方法。
【請求項４】
請求項１〜３記載の製造方法により得られた補強布を、前記軟質フォームの発泡成形によって前記パッド本体の裏面に一体化したことを特徴とするシートパッド。
【発明の詳細な説明】
【技術分野】
【０００１】
本発明は、車両等の座席クッション材として用いられるシートパッド及びそれに用いる補強布の製造方法に関するものである。
【背景技術】
【０００２】
一般に、車両等の座席クッション材として用いられるシートパッドは、軟質ポリウレタンフォームなどの弾力性のある軟質フォームの型成形品からなる。かかるシートパッドは、バネ、フレーム、パイプなどの取付鋼材に組付けられることでシートとして構成されるが、使用時の振動や着座時に、パッドと取付鋼材との摩擦などにより異音が発生したり、損傷するという問題があった。そのため、このような異音の発生を防止したり、損傷から保護し、強化するために、軟質フォームからなるパッド本体の裏面に、裏打ち材として不織布などの補強布を軟質フォームの発泡成形により一体化することがなされている（例えば、下記特許文献１〜３参照）。
【特許文献１】特開平６−１７１００２号公報
【特許文献２】特開平６−１７１００３号公報
【特許文献３】特開２０００−６２０６１号公報
【発明の開示】
【発明が解決しようとする課題】
【０００３】
この種の補強布はパッド本体の裏面形状に沿わせて一体化させる必要があり、そのためには、補強布に予め縫製を施して立体的な形状としておくことが好ましい。その場合に、縫製作業にバラツキがあると、パッド本体の裏面形状に補強布が沿わないことになって、発泡成形時に補強布による不所望な皺ができたり、あるいはまた軟質フォームが外側にしみ出すことがあり、補強布としての十分な機能を損なう場合がある。
【０００４】
特に、自動車用シートの背もたれ部に用いられるバックパッドなどにおいては、パッド本体の裏面に内向きの張り出し部が設けられている場合があり、その場合、張り出し部の内側面においても、異音防止のために補強布を一体化することが求められ、補強布を袋状に縫製する必要がある。このような袋形状に縫製する場合には特に縫製にバラツキが生じやすく、上記のような補強布としての機能を損なう結果につながりやすい。
【０００５】
本発明は、以上の点に鑑みてなされたものであり、補強布の縫製精度を向上することにより、その機能を十分に発揮させることができるシートパッド用補強布の製造方法、及びこれにより得られる補強布を用いたシートパッドを提供することを目的とする。
【課題を解決するための手段】
【０００６】
本発明に係るシートパッド用補強布の製造方法は、軟質フォームからなるパッド本体の裏面を覆うように一体化されるシートパッド用補強布の製造方法であって、該補強布の２つの布部分を重ねて縫製するに際し、一方の布部分の縁部に切欠を設けておき、他方の布部分の角部を該切欠に合致させるようにして両布部分を重ね合わせて前記縫製を施すことを特徴とする。
【０００７】
このように補強布の互いに縫合する２つの布部分において、重ね合わせる一方の布部分に切欠を設けておき、これに対応する他方の布部分の角部を上記切欠を目印として合致させるようにしながら、両布部分を重ね合わせることにより、両者を正確に位置決めした状態で縫製することができる。そのため、補強布の縫製精度が向上して、補強布としての機能が損なわれるといったこともなくなる。
【０００８】
より具体的な態様として、本発明に係るシートパッド用補強布の製造方法は、パッド主体部と、該パッド主体部の裏面側における両側辺を含む３方の辺部に一体に設けられた内向きの張り出し部とを備える軟質フォームからなるパッド本体に対し、前記パッド主体部の裏面と前記張り出し部の内側面とを覆うように一体化されるシートパッド用補強布の製造方法であって、該補強布は、前記パッド主体部の裏面に一体化される布主体部と、その両側辺から一体に延出されて前記パッド本体の両側辺部における前記張り出し部の内側面に一体化される布側面部と、前記布主体部の他の一辺から一体に延出されて前記パッド本体の残りの前記張り出し部の内側面に一体化される布後面部とを備えてなり、前記布側面部と前記布後面部の対向する辺同士を縫製することで該補強布を袋状に形成するに際し、前記布後面部の延出端における角部近傍に切欠を設けておき、該角部に対応する前記布側面部の角部を前記切欠に合致させるようにして前記布後面部と前記布側面部の縫い代同士を重ね合わせて前記縫製を施すことを特徴とする。
【０００９】
このように補強布を袋状に縫製するに際し、布後面部の延出端における角部近傍に予め切欠を設けておき、これに縫合する布側面部の角部をこの切欠を目印にして合致させるようにしながら、両者の縫い代を重ね合わせることにより、両者を正確に位置決めした状態で縫製することができる。そのため、補強布を袋状に縫製するものでありながら、その縫製精度を向上させて、補強布としての機能を確保することができる。
【００１０】
上記本発明においては、前記補強布がエンボス加工により格子点状に熱圧着凹部が設けられた不織布からなり、該熱圧着凹部の列に沿って前記縫製を施すことが好ましい。このように補強布として格子点状に熱圧着凹部が設けられた不織布を用いた場合、上記目印となる切欠の部分からこの熱圧着凹部の列に沿って縫製を施すことにより、まっすぐに縫製を施すことが容易となって、縫製精度をより向上させることができる。
【００１１】
本発明に係るシートパッドは、上記の製造方法により得られた補強布を、前記軟質フォームの発泡成形によって前記パッド本体の裏面に一体化したものであり、補強布としての機能が損なわれることがなく、異音防止効果に優れている。
【発明の効果】
【００１２】
本発明によれば、シートパッドの裏面に一体化させる補強布を縫製して立体的な形状に形成する際に、その縫製精度を向上することができ、そのため、補強布としての機能を損なうことなく、異音防止効果に優れるシートパッドを提供することができる。
【発明を実施するための最良の形態】
【００１３】
以下、本発明の実施形態について図面に基づいて詳細に説明する。
【００１４】
図１は本発明の一実施形態に係るシートパッド１０の斜視図、図２は該パッド１０の断面図、図３は該パッド１０に使用する補強布１４の展開図、図４は該補強布１４の要部拡大図、図５及び６はその縫製後の斜視図である。
【００１５】
図１に示すように、このシートパッド１０は、例えば自動車のフロントシートにおける背もたれ部に用いられるバックパッドであって、軟質ポリウレタンフォームからなるパッド本体１２と、その裏面に積層一体化された補強布１４とからなり、フレームなどの不図示の取付鋼材に組付けられるものである。
【００１６】
パッド本体１２は、背もたれ部を構成するパッド主体部１６と、その裏面側における上辺と左右両側辺との３方の辺部に一体に設けられたフレーム装着のための内向きのフランジ状の張り出し部１８とからなり、全体として概略袋形状をなしている。パッド本体１２の上面には、不図示のヘッドレストを装着するための貫通孔１９が設けられている。
【００１７】
補強布１４は、図５に示すように袋状に縫製されており、図２に示すようにパッド主体部１６の裏面と張り出し部１８の内側面とを覆うようにポリウレタンフォームの発泡成形により一体化されている。
【００１８】
補強布１４としては、適度な通気性を持ち、かつ、成形時におけるポリウレタンフォームの浸み出しを防止できるものであれば、特に限定されることなく使用することができ、不織布や織編物、あるいはこれらの積層複合体などを使用することができるが、本実施形態では、図４に示すように、エンボス加工により表面に無数の熱圧着凹部５０が格子点状に設けられた不織布を使用するものである。なお、図４では、熱圧着凹部５０を３列のみ、しかも各列ともその一部だけ示しているが、実際にはかかる熱圧着凹部５０が図３に示す補強布１４の全体に設けられている。
【００１９】
このような熱圧着凹部５０を有する不織布は、スパンボンド法などの公知の不織布製造方法により得られた不織布に対してエンボス加工を施すことにより製造することができる。より好ましくは、ポリプロピレンなどからなる捲縮長繊維ウェブを、表面に格子点状に配置された凸部を持つエンボスロールと表面平滑ロールとを組み合わせた熱圧着ロール間を通過させて得られる不織布を使用することである。なお、熱圧着凹部５０の配置は、格子点状であれば、直交格子には限られず、千鳥格子のように鋭角に交差する格子点状のものであってもよい。
【００２０】
補強布１４は、このような熱圧着凹部５０を有する不織布を、図３に示す基布形状に裁断したものから形成される。この基布形状は、パッド主体部１６の裏面に一体化される略台形状の布主体部２０と、その両側辺から一体に延出されてパッド本体１２の両側辺部における張り出し部１８ａ，１８ａの内側面に一体化される布側面部２２と、布主体部２０の上辺から一体に延出された略矩形状の布上面部２４と、布上面部２４から一体に延出されてパッド本体１２の上辺部における張り出し部１８ｂの内側面に一体化される略矩形状の布後面部２６とからなる。なお、布上面部２４には、パッド本体１２の上記貫通孔１９に対する位置にヘッドレストのため貫通孔３６が設けられている。
【００２１】
布上面部２４の左右両側辺および布後面部２６の左右両側辺には、それぞれ縫い代２４ａ，２６ａが設けられている。図４にも示されるように、布上面部２４の縫い代２４ａは、布後面部２６の縫い代２６ａに対して、段差部２８を介して所定寸法だけ外側に張り出して形成されている。また、布上面部２４の縫い代２４ａと対向する布側面部２２の上辺には縫い代２２ａが形成され、布後面部２６の縫い代２６ａと対向する布側面部２２の側辺には縫い代２２ｂが形成されている。なお、縫い代２２ａと２２ｂとの境界部には、縫製後にこれら縫い代２２ａ，２２ｂを寝かせやすくするためのＶ字状の切欠３０が設けられている。更に、布側面部２２の下辺には、パッド本体１２の裏面形状に沿わせやすくするために、所定長の切込み３２が設けられ、また、この切込み３２部分を用いて立体的な形状を出すために縫製する際の目印となるＶ字状の切欠３４が設けられている。
【００２２】
図３，４に示すように、布後面部２６における縫製後に下辺となる延出端２６ｂには、左右両側の角部２６ｃ近傍にＶ字状の切欠５２が設けられており、この切欠５２の外側に上記縫い代２６ａが確保されている。この切欠５２は、布側面部２２と布後面部２６との対向する辺同士を縫合するに際して両者の縫い代２２ｂと２６ａとを重ね合わせるときの目印となるものであり、縫製時に布側面部２２の縫い代２２ｂにおける下端側の角部２２ｃと合致するような位置に設けられている。
【００２３】
また、図４に示すように、補強布１４を構成する不織布の上記熱圧着凹部５０の列が、縫い代２６ａ（より詳細には、後工程で縫製４０が施される縫製予定線）に沿ってこれと平行になるように、不織布は裁断されている。
【００２４】
この基布を用いて、補強布１４を縫製する際には、まず、布側面部２２と布上面部２４との対向する辺同士２２ａと２４ａを、各辺が互いに平行になるように重ねて縫合する。その際、布側面部２２の縫い代２２ａを上にして布上面部２４の縫い代２４ａと重ねて縫製３８するが、布上面部２４の縫い代２４ａが上記のように段差状に張り出しているため、これが目印となって縫製作業を行いやすく、また、立体的な形状が出しやすい。そして、これにより、図６に示すように、布側面部の縫い代２２ａが袋形状の外側に出るように縫製３８が施される。
【００２５】
次いで、布側面部２２と布後面部２６の対向する辺同士２２ｂと２６ａを縫合する。詳細には、まず、布側面部２２の縫い代２２ｂを上にして布後面部２６の縫い代２６ａと重ね合わせる。その際、布後面部２６の延出端２６ｂに上記のように切欠５２が設けられているので、この切欠５２を目印にして布側面部２２の対応する角部２２ｃを該切欠５２に一致させるように両縫い代２２ｂと２６ａを重ね合わせれば、両者は正確に位置決めされた状態で重ね合わされる。そして、この重ね合わせた縫い代２２ｂ，２６ａに対して縫製４０を施すが、その際、上記目印となる切欠５２側から、熱圧着凹部５０の列５０ａを目印としてこれに沿って縫製４０を施すことにより、縫製４０を直線状に正確に施すことができる。これにより、図６に示すように、布側面部の縫い代２２ｂが袋形状の外側に出るように縫製４０が施される。
【００２６】
その後、切込み３２により切断された２つの布部分３２ａと３２ｂとを重ねて縫製する。その際、一方の布部分３２ａの下辺に切欠３４が設けられているので、この切欠３４を目印にして他方の布部分３２ｂの角部３２ｃを切欠３４に一致させるように両布部分３２ａ，３２ｂを重ね合わせれば、両者は正確に位置決めされた状態で重ね合わされる。そして、この重ね合わせた状態で縫製４２を施す（図５参照）。なお、この縫製４２は、上記縫製３８，４０に先立って行うこともできる。
【００２７】
以上により、補強布１４は図５に示すように袋状に縫製される。なお、各縫製３８，４０，４２の始点および終点には返し縫いを１回以上することが好ましい。
【００２８】
このようにして縫製した補強布１４は、不図示の発泡成形型内に装着され、該型内に発泡原液を注入して発泡充填させることでパッド本体１２の発泡成形により、その裏面に積層一体化される。これにより、図１，２に示すシートパッド１０が得られる。
【００２９】
本実施形態によれば、補強布１４を袋状に縫製するに際し、上記のように目印となる切欠３４，５２を設けておいて、縫合する２つの縫い代の重ね合わせ精度を向上させたので、袋状に縫製するものでありながら、縫製作業者の習熟度によらず、高い縫製精度を確保することができる。
【００３０】
また、補強布１４に格子点状の熱圧着凹部５０を備える不織布を用いて、該熱圧着凹部５０の列５０ａに沿って縫製４０を施すようにしたので、直線状に縫製することが容易となって、縫製精度をより向上させることができる。なお、その際、縫製４０と熱圧着凹部の列５０ａとは完全に一致していなくてもよく、縫製する際にその縫製ラインの近傍にこれと平行な熱圧着凹部５０の列があれば、これを目当てとして容易に直線状の縫製４０を施すことができる。
【００３１】
このように補強布１４の縫製精度を向上することができるので、得られたシートパッド１０は、補強布１４としての機能が損なわれることがなく、異音防止効果に優れている。
【００３２】
なお、本発明は、上記のように補強布が袋状に縫製された場合に特に効果的であるが、これに限らず、各種の縫製が施された補強布を用いた場合にも適用することができる。
【図面の簡単な説明】
【００３３】
【図１】本発明の一実施形態に係るシートパッドの斜視図である。
【図２】図１のII−II線断面図である。
【図３】同シートパッドに用いる補強布の展開図である。
【図４】図３の要部拡大図である。
【図５】同補強布の縫製後の斜視図である。
【図６】同補強布の要部拡大斜視図である。
【符号の説明】
【００３４】
１０……シートパッド
１２……パッド本体
１４……補強布
１６……パッド主体部
１８……張り出し部
２０……布主体部
２２……布側面部
２２ｂ，２６ａ……縫い代
２２ｃ……布側面部の角部
２６……布後面部
２６ｂ……布後面部の延出端
２６ｃ……延出端の角部
３２ａ，３２ｂ……縫製を施す２つの布部分
３２ｃ……布部分３２ｂの角部
３４，５２……切欠
４０，４２……縫製部
５０……熱圧着凹部
５０ａ……熱圧着凹部の列
【図１】
2005245882.tif 000003
【図２】
2005245882.tif 000004
【図３】
2005245882.tif 000005
【図４】
2005245882.tif 000006
【図５】
2005245882.tif 000007
【図６】
2005245882.tif 000008